(57)【要約】【課題】コスト低減を図る。【解決手段】一対の半割体２１Ａ，２１Ｂにおけるハウジング１０への嵌合部２６は、ヒンジ部３５に関して対称な形態となっているので、一対の半割体２１Ａ，２１Ｂを反転させた姿勢でハウジング１０に取り付けることができる。これにより、電線カバー２０内における電線１１の転向方向を２通りのうちから選択することができる。１種類の電線カバー２０によって電線１１を異なる２つの方向へ転向させることが可能なので、２種類の電線カバーを用意する必要がなく、コスト低減を図ることができる。【選択図】図２
2008293810.tif 000002
【特許請求の範囲】
【請求項１】
背面から電線が導出されるようになっているハウジングと、
前記ハウジングの背面部に取り付けられることで、前記電線を側方へ転向させる電線カバーとを備えており、
前記電線カバーが、ヒンジ部で連結された一対の半割体を筒状に合体させた構成となっているコネクタにおいて、
前記一対の半割体における前記ハウジングへの嵌合部は、前記ヒンジ部に関して対称な形態となっていることを特徴とするコネクタ。
【請求項２】
前記ハウジングには、前記嵌合部と係止することで前記半割体を前記ハウジングに対して組付け状態に保持可能な係止部が形成されていることを特徴とする請求項１に記載のコネクタ。
【請求項３】
前記ハウジングの外面には、前記ハウジングを相手側ハウジングとの嵌合状態にロックするための弾性変位可能なロックアームが形成されており、
前記半割体の外面には、前記ロックアームが弾性変位したときにそのロックアームの一部を収容する凹部が形成されていることを特徴とする請求項１または請求項２に記載のコネクタ。
【発明の詳細な説明】
【技術分野】
【０００１】
本発明は、コネクタに関するものである。
【背景技術】
【０００２】
特許文献１には、ハウジングの背面部に電線カバーを取り付けた形態のコネクタが開示されている。電線カバーは、一対の半割体を屈曲した筒状をなすように合体させた状態でハウジングに組み付けられる。ハウジングの背面から導出された電線は、電線カバーの内部で屈曲されることにより側方へ転向されて、電線カバーの外部へ引き出される。
【特許文献１】特開２００４−１２７８１３公報
【発明の開示】
【発明が解決しようとする課題】
【０００３】
上記従来のコネクタでは、ハウジングに対する電線カバーの組付け方向が一定に決められていたため、電線の転向方向を変えたい場合には、形状の異なる電線カバーを別途用意する必要があった。そのため、部品の種類数が多くなり、コストアップを来すことになる。  
本発明は上記のような事情に基づいて完成されたものであって、コスト低減を図ることを目的とする。
【課題を解決するための手段】
【０００４】
上記の目的を達成するための手段として、請求項１の発明は、背面から電線が導出されるようになっているハウジングと、前記ハウジングの背面部に取り付けられることで、前記電線を側方へ転向させる電線カバーとを備えており、前記電線カバーは、ヒンジ部で連結された一対の半割体を筒状に合体させた構成となっているコネクタにおいて、前記一対の半割体における前記ハウジングへの嵌合部は、前記ヒンジ部に関して対称な形態となっているところに特徴を有する。
【０００５】
請求項２の発明は、請求項１に記載のものにおいて、前記ハウジングには、前記嵌合部と係止することで前記半割体を前記ハウジングに対して組付け状態に保持可能な係止部が形成されているところに特徴を有する。
【０００６】
請求項３の発明は、請求項１または請求項２に記載のものにおいて、前記ハウジングの外面には、前記ハウジングを相手側ハウジングとの嵌合状態にロックするための弾性変位可能なロックアームが形成されており、前記半割体の外面には、前記ロックアームが弾性変位したときにそのロックアームの一部を収容する凹部が形成されているところに特徴を有する。
【発明の効果】
【０００７】
＜請求項１の発明＞
一対の半割体におけるハウジングへの嵌合部が対称な形態となっているので、一対の半割体は反転させた姿勢でハウジングに取り付けることができる。これにより、電線カバー内における電線の転向方向を２通りのうちから選択することができる。本発明によれば、１種類の電線カバーによって電線を異なる２つの方向へ転向させることが可能なので、２種類の電線カバーを用意する必要がなく、コスト低減を図ることができる。
【０００８】
＜請求項２の発明＞
電線カバーをハウジングに組み付ける際には、まず、一対のうち一方の半割体をハウジングに仮組みするのであるが、このとき、ハウジングの係止部が半割体の嵌合部と係止することにより、その半割体はハウジングに対して仮組み状態に保持される。したがって、この後の、半割体に沿って電線を屈曲させる作業と、電線の屈曲後にもう一方の半割体を合体させつつハウジングに組み付ける作業を行い易い。
【０００９】
＜請求項３の発明＞
凹部が、ロックアームの弾性変位を許容する撓み空間の一部を構成しているので、その分、ロックアームを電線カバーの外面に接近した位置に配置でき、ひいてはコネクタ全体の小型化を図ることができる。
【発明を実施するための最良の形態】
【００１０】
＜実施形態１＞
以下、本発明を具体化した実施形態１を図１乃至図９を参照して説明する。本実施形態のコネクタは、ハウジング１０に電線カバー２０を取り付けた構成である。  
ハウジング１０は、合成樹脂製であり、全体としてブロック状をなす。ハウジング１０の内部には、背面側から周知形態の端子金具（図示せず）が挿入されるようになっており、各端子金具の後端部に固着した電線１１が、ハウジング１０の背面から後方へ導出されるようになっている。ハウジング１０の後端部には、電線カバー２０を取り付けるための左右一対の取付部１２が形成されている。取付部１２は、ハウジング１０の後端縁に沿って上下方向に延びる位置決めリブ１３と、取付部１２における上下方向中央に配置された位置決めリブ１３の前端面に連なる形態の突起状受け部１４と、突起状受け部１４の下方に配置された突起状の係止部１５とを備えて構成されている。また、ハウジング１０の上面には、相手側ハウジング（図示せず）とハウジング１０とを嵌合したときに、相手側ハウジングに係止することでハウジング１０と相手側ハウジングとを嵌合状態にロックするためのロックアーム１６が形成されている。ロックアーム１６は、その後端部の操作部１７を下方（ハウジング１０の外面に接近する方向）へ変位させるように弾性撓みさせることで、相手側ハウジングから解離するようになっている。この操作部１７は、前後方向において取付部１２とほぼ同じ位置に配置されている。
【００１１】
電線カバー２０は、合成樹脂製であり、一対の半割体２１Ａ，２１Ｂを筒状に合体させて構成される。電線カバー２０は、ハウジング１０に嵌合される筒状本体部２２と、筒状本体部２２の後端から側方へ延出する筒状ガイド部２３とから構成されている。筒状本体部２２の軸線方向が前後方向であるのに対し、筒状ガイド部２３の軸線方向は左右方向（筒状本体部２２とは直角な方向）となっている。
【００１２】
半割体２１Ａ，２１Ｂは、筒状の電線カバー２０を上下に分割したものであって、平面形状は略Ｌ字形をなしている。半割体２１Ａ，２１Ｂは、筒状本体部２２を構成する本体用半割部２４と、筒状ガイド部２３を構成するガイド用半割部２５と、本体用半割部２４の前端部に形成された嵌合部２６とから構成されている。一方の半割体２１Ａには、本体用半割部２４の右外側面に突出するロック突起２７と、ガイド用半割部２５の両外側面に突出する前後一対のロック突起２７とが形成されている。他方の半割体２１Ｂには、本体用半割部２４の右外側面に突出する弾性ロック片２８と、ガイド用半割部２５の両外側面に突出する前後一対の弾性ロック片２８とが形成されている。また、本体用半割部２４には、その外面を凹ませた形態の凹部２９が形成されている。
【００１３】
嵌合部２６は、本体用半割部２４の前端における左右両端部から前方へ延出する左右一対の側壁部３０から構成される。側壁部３０の後端部には、その内側面を凹ませた形態であって上下方向に延びる位置決め溝３１が形成されている。同じく側壁部３０の内側面には、位置決め溝３１の前方に隣接するように配置された突部３２が形成されている。また、側壁部３０の下端縁には、内側に突出する形態の突状縁部３３が側壁部３０の全長に亘って形成されている。  
一対の半割体２１Ａ，２１Ｂは、本体用半割部２４の軸線同士が平行をなすように且つガイド用半割部２５が互いに反対方向へ延出するような向き及び配置で、前後一対のヒンジ部３５によって連結されている。ヒンジ部３５は、曲げ変形可能な板状をなし、前側に位置するヒンジ部３５が側壁部３０同士を連結するとともに、後側に位置するヒンジ部３５が本体用半割部２４の前端部の外側面同士を連結している。そして、上記した一対の半割体２１Ａ，２１Ｂの嵌合部２６は、ヒンジ部３５を通る前後方向の軸線に関して左右対称な形態となっている。
【００１４】
次に、本実施形態の作用を説明する。  
電線カバー２０をハウジング１０に組み付ける際には、まず、一方の半割体２１Ａの嵌合部２６をハウジング１０の取付部１２に対して下から嵌合させる。組付けに際しては、側壁部３０をハウジング１０の外側面に沿わせると共に、位置決め溝３１を位置決めリブ１３に嵌合させる。嵌合の過程では、突部３２が係止部１５と干渉することにより一対の側壁部３０が外側へ拡開するように弾性変形し、突状縁部３３がハウジング１０の下面に当接して半割体２１Ａが正規の嵌合位置に至ると、側壁部３０が弾性復帰して、突部３２が係止部１５に対して上から係止する。この係止作用により、半割体２１Ａは、ハウジング１０に対して下方へ離脱することを規制される。また、位置決め溝３１と位置決めリブ１３との嵌合により、半割体２１Ａは、ハウジング１０に対して前後方向への相対変位を規制される。以上により、一方の半割体２１Ａがハウジング１０に対して仮組み状態に保持される。
【００１５】
この後、ハウジング１０の背面から導出されている電線１１を、本体用半割部２４とガイド用半割部２５とに沿うように屈曲させ、ガイド用半割部２５から外方へ導出させる。このようにして電線１１を転向させた後、一対のヒンジ部３５を反転させるように変形させつつ、他方の半割体２１Ｂを一方の半割体２１Ａに対して上から被せるように合体させる。このとき、他方の半割体２１Ｂの嵌合部２６をハウジング１０の取付部１２に対して上から嵌合する。このとき、位置決め溝３１が位置決めリブ１３に嵌合される。合体した後は、各弾性ロック片２８を、夫々、対応するロック突起２７に係止させると、この係止作用によって一対の半割体２１Ａ，２１Ｂが合体状態にロックされる。
【００１６】
さて、電線１１を上記とは反対方向へ転向させる場合には、他方の半割体２１Ｂの嵌合部２６をハウジング１０に対して下から組み付ける。組付けは、上述した一方の半割体２１Ａを組み付ける場合と同様である。他方の半割体２１Ｂを組み付けた後は、一方の半割体２１Ａを合体させればよい。このようにすれば、筒状ガイド部２３から導出される電線１１は、上記とは反対方向となる。
【００１７】
上述のように本実施形態においては、電線カバー２０を構成する一対の半割体２１Ａ，２１Ｂにおけるハウジング１０への嵌合部２６がヒンジ部３５に関して対称な形態となっているので、一対の半割体２１Ａ，２１Ｂを前後方向の軸線を中心として反転させた姿勢でハウジング１０に取り付けることができる。これにより、電線カバー２０内における電線１１の転向方向を２通りのうちから選択することができる。つまり、１種類の電線カバー２０によって電線１１を異なる２つの方向へ転向させることが可能なので、２種類の電線カバーを用意する必要がなく、コスト低減を図ることができる。
【００１８】
また、電線カバー２０をハウジング１０に組み付ける際には、まず、一対のうち一方の半割体２１Ａまたは２１Ｂをハウジング１０に仮組みするのであるが、このとき、ハウジング１０の係止部１５が半割体２１Ａまたは２１Ｂの嵌合部２６と係止することにより、その半割体２１Ａまたは２１Ｂはハウジング１０に対して仮組み状態に保持される。したがって、この後の、半割体２１Ａまたは２１Ｂに沿って電線１１を屈曲させる作業と、電線１１の屈曲後にもう一方の半割体２１Ｂまたは２１Ａを合体させつつハウジング１０に組み付ける作業を行い易い。
【００１９】
また、ハウジング１０の外面には、ハウジング１０を相手側ハウジングとの嵌合状態にロックするための弾性変位可能なロックアーム１６が形成されているのであるが、半割体２１Ａ，２１Ｂの外面には、ロックアーム１６が弾性変位したときにそのロックアーム１６の一部を収容する凹部２９が形成されている。このように本実施形態においては、凹部２９が、ロックアーム１６の弾性変位を許容する撓み空間の一部を構成しているので、その分、ロックアーム１６を電線カバー２０の外面に接近した位置に配置でき、ひいてはコネクタ全体の小型化を図ることができる。  
しかも、凹部２９は操作部１７の後方領域に延びるように大きく形成されているので、指先を前方へ向けて操作部１７を押し操作したときに、その操作部１７を押している指の腹の部分が電線カバー２０に接触する虞がなく、作業性に優れている。また、ロックアーム１６とは反対側の凹部２９にも指を宛がすようにすれば、その指が前後左右に位置ずれし難くなるので、この点も、作業性の向上に寄与している。
【００２０】
＜他の実施形態＞
本発明は上記記述及び図面によって説明した実施形態に限定されるものではなく、例えば次のような実施態様も本発明の技術的範囲に含まれる。  
（１）電線カバー内における電線の転向方向は、ハウジングの背面からの導出方向に対して鋭角または鈍角の方向であってもよい。  
（２）上記実施形態では一対の半割体を合体状態にロックする手段を、半割体自体に形成したが、ロック手段は半割体に形成したロック部とハウジングに形成したロック部とを係止させる構造であってもよい。
【図面の簡単な説明】
【００２１】
【図１】実施形態１の斜視図
【図２】断面図
【図３】一方の半割体をハウジングに仮組みした状態をあらわす平面図
【図４】一方の半割体をハウジングに仮組みした状態をあらわす部分拡大一部切欠平面図
【図５】ハウジングの側面図
【図６】ハウジングの取付部をあらわす部分拡大平面図
【図７】他方の半割体をハウジングに仮組みした状態をあらわす平面図
【図８】電線カバーの平面図
【図９】電線カバーの正面図
【符号の説明】
【００２２】
１０…ハウジング
１１…電線
１５…係止部
１６…ロックアーム
２０…電線カバー
２１Ａ，２１Ｂ…半割体
２６…嵌合部
２９…凹部
３５…ヒンジ部
【図１】
2008293810.tif 000003
【図２】
2008293810.tif 000004
【図３】
2008293810.tif 000005
【図４】
2008293810.tif 000006
【図５】
2008293810.tif 000007
【図６】
2008293810.tif 000008
【図７】
2008293810.tif 000009
【図８】
2008293810.tif 000010
【図９】
2008293810.tif 000011